(57)【要約】【課題】製造コストが減少し、使用上に便利な拭き掃除材及びそれを備えた拭き掃除用具を提供しようとする。【解決手段】上下両面を有する台座と該台座の上面に連結されているハンドルとからなった拭き掃除用具の前記台座に着脱自在に取り付けられる拭き掃除材であって、実際に拭き掃除をするための、前記台座の下面に当接する拭き掃除部と、前記拭き掃除部の周縁から延伸しなっていて前記台座の上面を前記台座の出し入れが許容される開口が開くように覆うことができる固定部とを備えてなったことを特徴とする拭き掃除材を提供する。【選択図】図２
0003111011.tif 000002
【実用新案登録請求の範囲】
【請求項１】
上下両面を有する台座と該台座の上面に連結されているハンドルとからなった拭き掃除用具の前記台座に着脱自在に取り付けられる拭き掃除材であって、
実際に拭き掃除をするための、前記台座の下面に当接する拭き掃除部と、
前記拭き掃除部の周縁から延伸しなっていて前記台座の上面を前記台座の出し入れが許容される開口が開くように覆うことができる固定部とを備えてなったことを特徴とする拭き掃除材。
【請求項２】
前記拭き掃除部及び前記固定部は、それぞれほぼ矩形状のシート体であり、
前記開口は、前記固定部のほぼ矩形状の対角線に沿って開いたスリットであることを特徴とする請求項１に記載の拭き掃除材。
【請求項３】
前記拭き掃除部及び前記固定部は、それぞれほぼ矩形状のシート体であり、
前記開口は、前記固定部のほぼ矩形状の長手方向に沿っている中心線上に形成されたスリットであることを特徴とする請求項１に記載の拭き掃除材。
【請求項４】
前記拭き掃除部は、ほぼ矩形状のシート体であり、
前記固定部は、前記拭き掃除部の両短辺近くのコ字形周縁からそれぞれ延伸して一体になった２の前記開口で隔たっている部分からなったものであることを特徴とする請求項１に記載の拭き掃除材。
【請求項５】
前記固定部は、前記スリットで隔たっている２のほぼ矩形状の部分で構成されており、
前記２の部分は、いずれも、前記スリットの反対側にある長辺と一方の短辺が前記拭き掃除部の周縁と連結し、他方の短辺が前記拭き掃除部の周縁と連結せずに開放しており、
且つ、前記二つの部分の、前記拭き掃除部の周縁と連結せずに開放している短辺は、それぞれ前記拭き掃除部の異なる短辺にあることを特徴とする請求項３に記載の拭き掃除材。
【請求項６】
上下両面を有する台座と、
該台座の上面に連結されているハンドルと、
前記台座に着脱自在に取り付けられている請求項１〜５のいずれか一項に記載の拭き掃除材とからなった拭き掃除用具。
【考案の詳細な説明】
【技術分野】
【０００１】
本考案は、拭き掃除材及びそれを備えた拭き掃除用具に関し、更に詳細には、上下両面を有する台座と該台座の上面に連結されているハンドルと該台座に着脱自在に取り付けられている拭き掃除材とからなった拭き掃除用具及び前記拭き掃除材自体に関する。
【背景技術】
【０００２】
通常、この種の拭き掃除用具は、それに装着された乾式あるいは湿式の拭き掃除材により床や壁などの表面に当接し、塵や埃等の細かいごみまたは汚れを拭き取って掃除するために用いられる。図１は、このような物の従来の一例を示す。図１に示すように、拭き掃除用具１２は、上下両面を有する台座１２１と、台座１２１の上面に連結されているハンドル１２２と、台座１２１に着脱自在に取り付けられている拭き掃除材１１とからなったものである。
【０００３】
拭き掃除材１１の材質は、布、不織布、紙等を使用することができる。特に、弾性的な素材が好ましく、更に、水や洗浄剤を含んだ物も、使い捨て式の物もよい。
【０００４】
この拭き掃除材１１は、台座１２１の下面に当接していて実際に拭き掃除をするための拭き掃除部１１１となる部分と、該部分の両長辺の外縁から折り曲げられてなってその四角がマジックテープ１１３、１２３を介して台座１２１の上面に固定されている、固定部１１２としての部分とからなったものである。
【０００５】
しかしながら、この拭き掃除用具において、拭き掃除材の両短辺と台座とは何の連結も無く、例えば、台座の長辺に沿って拭き掃除用具を滑走移動させて掃除作業を行なう場合、拭き掃除材と台座とが相対的にずれて離脱してしまうことが時々ある。また、台座及び拭き掃除材には、その対応する箇所に固定のためのマジックテープが設けられなけれならないので、製造コストが上昇してしまうばかりでなく、拭き掃除材を買う時に、自分の持っている拭き掃除用具に合うかどうか考えなければならないこともあって不便である。
【考案の開示】
【考案が解決しようとする課題】
【０００６】
そのため、本考案は、製造コストが減少し、使用上に便利な拭き掃除材及びそれを備えた拭き掃除用具を提供しようとすることを目的とする。
【課題を解決するための手段】
【０００７】
前記目的を達成するために、本考案は、上下両面を有する台座と該台座の上面に連結されているハンドルとからなった拭き掃除用具の前記台座に着脱自在に取り付けられる拭き掃除材であって、実際に拭き掃除をするための、前記台座の下面に当接する拭き掃除部と、前記拭き掃除部の周縁から延伸しなっていて前記台座の上面を前記台座の出し入れが許容される開口が開くように覆うことができる固定部とを備えてなったことを特徴とする拭き掃除材を提供する。
【０００８】
また、本考案は、上下両面を有する台座と、該台座の上面に連結されているハンドルと、前記台座に着脱自在に取り付けられている前記のような拭き掃除材とからなった拭き掃除用具をも提供する。
【考案の効果】
【０００９】
本考案の拭き掃除材及び拭き掃除用具は、前記台座にも前記拭き掃除材にも、別に固定のための固定部品が設けられる必要はないので、製造コストを節約することができる。なお、前記拭き掃除材は、前記拭き掃除部の周縁から延伸しなっていて前記台座の上面を前記台座の出し入れが許容される開口が開くように覆うことができる上、ほとんどの拭き掃除用具に適用されるため、前後左右、いずれの方向にも拭き掃除用具を滑走移動させても拭き掃除材の台座からの離脱はなく、使用上に非常に便利である。
【考案を実施するための最良の形態】
【００１０】
以下、添付図面に基づいて本考案の実施形態を詳細に説明する。
【００１１】
図２は、本考案にかかる第１の実施形態の拭き掃除材が取り付けられた拭き掃除用具を示す部分分解斜視図である。図２に示すように、本考案の拭き掃除用具２は、主として、上下両面２１ａ、２１ｂを有する台座２１と、台座２１の上面２１ａに連結されているハンドル２２と、図示のはまだ台座２１に取り付けられていないが、使用時には台座２１に着脱自在に取り付けられている拭き掃除材３とからなったものである。
【００１２】
前記まだ台座２１に取り付けられていない拭き掃除材３から見れば、拭き掃除材３は、実際に拭き掃除をするための、台座２１の下面２１ｂに当接する拭き掃除部３１と、拭き掃除部３１の周縁から延伸しなっていて台座２１の上面２１ａを台座２１の出し入れが許容される開口３４が開くように覆うことができる固定部３２とを備えている。
【００１３】
第１の実施形態において、拭き掃除部３１及び固定部３２は、それぞれほぼ矩形状のシート体であり、前記開口３４は、固定部３２のほぼ矩形状の対角線に沿って開いたスリット３４Ａを言う。
【００１４】
図３は、本考案にかかる第２の実施形態の拭き掃除材が取り付けられた拭き掃除用具を示す部分斜視図である。図３に示すように、第２の実施形態の構造はおおよそ第１の実施形態のと同じであるが、その相違点は、開口３４は、固定部３２のほぼ矩形状の長手方向に沿っている中心線上に形成されたスリット３４Ｂであることにある。
【００１５】
図４は、本考案にかかる第３の実施形態の拭き掃除材が取り付けられた拭き掃除用具を示す部分斜視図である。図４に示すように、第３の実施形態の構造はおおよそ第１の実施形態のと同じであるが、その相違点は、拭き掃除部３１はほぼ矩形状のシート体であり、且つ固定部３２は拭き掃除部３１の両短辺３１ａ、３１ａ近くのコ字形周縁からそれぞれ延伸して一体になった２の開口３４で隔たっている部分３２１、３２１からなったものであることにある。
【００１６】
図５は、本考案にかかる第４の実施形態の拭き掃除材が取り付けられた拭き掃除用具を上面側から見た平面図である。図５に示すように、第４の実施形態の構造はおおよそ第２の実施形態のと同じであるが、その相違点は、以下の通りである。即ち、固定部３２は、スリット３４Ｂで隔たっている２のほぼ矩形状の部分３２２、３２２で構成されており、前記２の部分３２２、３２２は、いずれも、スリット３４Ｂの反対側にある長辺３２２ａ、３２２ａと一方の短辺３２２ｂ、３２２ｂが拭き掃除部３１の周縁と連結し、他方の短辺３２２ｃ、３２２ｃが拭き掃除部３１の周縁と連結せずに開放している。更に、前記二つの部分３２２、３２２の、拭き掃除部３１の周縁と連結せずに開放している短辺３２２ｃ、３２２ｃは、それぞれ拭き掃除部３１の異なる短辺にある。
【００１７】
このように、前記のような拭き掃除材３が拭き掃除用具２に装着された時に、台座２１が開口３４を通し拭き掃除材３に入れられて被覆されるように収容されているので、別に固定のための固定部品が設けられる必要はないと共に、台座２１のサイズが少々小さくとしても、または前後左右、いずれの方向にも拭き掃除用具２を滑走移動させても、拭き掃除材３の台座２１からの離脱はないようになった。
【００１８】
以上、本考案の好適な実施形態について説明したが、本考案は前記実施形態に限定されず、本考案の精神の範囲内において種々の変形や変更が可能であることは言うまでもない。
【産業上の利用可能性】
【００１９】
本考案の拭き掃除材及び拭き掃除用具は、製造コストを節約することができ、使用上にも何の支障なく非常に便利なものである。
【図面の簡単な説明】
【００２０】
【図１】従来の拭き掃除材が取り付けられた拭き掃除用具の一例を示す部分斜視図。
【図２】本考案にかかる第１の実施形態の拭き掃除材が取り付けられた拭き掃除用具を示す部分分解斜視図。
【図３】本考案にかかる第２の実施形態の拭き掃除材が取り付けられた拭き掃除用具を示す部分斜視図。
【図４】本考案にかかる第３の実施形態の拭き掃除材が取り付けられた拭き掃除用具を示す部分斜視図。
【図５】本考案にかかる第４の実施形態の拭き掃除材が取り付けられた拭き掃除用具を上面側から見た平面図。
【符号の説明】
【００２１】
２        拭き掃除用具
２１      台座
２１ａ    上面
２１ｂ    下面
２２      ハンドル
３        拭き掃除材
３１      拭き掃除部
３１ａ   （拭き掃除部の）短辺
３２      固定部
３２１   （固定部の）２の開口で隔たっている部分
３２２   （固定部の）スリットで隔たっている２のほぼ矩形状の部分
３２２ａ  長辺
３２２ｂ （拭き掃除部の周縁と連結している）短辺
３２２ｃ （拭き掃除部の周縁と連結せずに開放している）短辺
３４      開口
３４Ａ    スリット
３４Ｂ    スリット
【図１】
0003111011.tif 000003
【図２】
0003111011.tif 000004
【図３】
0003111011.tif 000005
【図４】
0003111011.tif 000006
【図５】
0003111011.tif 000007